(57)【要約】      （修正有）【課題】軽さやコンパクトをそなえる一般の雑巾に準じた手軽さで、新鮮な面を長く使えて広い場所やアルコール使用等、用途の多い作業性に優れた雑巾を必要としていた。【解決手段】出側のコアーに長い雑巾を圧縮巻してから、並設する巻側のコアーまで通して、低反発性の広がりにより広く柔軟な払拭面を確保し、払拭で汚れた後は、巻側のコアーの圧縮操作と共に、水の注入で出側のコアーの太さ回復機能を補助することで、両コアーの太さの均衡を図り掴み易さを保ちつつ、多角的反転による新払拭面の切り替え手法で、片手で直接つかめる巻雑巾を提供する。【選択図】図１
2011098180.tif 000002
【特許請求の範囲】
【請求項１】
まず払拭シート部（１）（２図〜５図、９図、１０図、１１図、１２図参照）とその両端、ないしはコアーホールド手段〔コアーカバー（９図、１０図、の１Ｓ）、や任意のコアー外周長にフィットするループ（２図）、ないしは襞（１０図、１１図、１２図の１Ｍ）〕の一方を出側コアー（２図〜８図）に装着し、圧縮しながら巻付けることで、フィット太さに巻いた巻雑巾（参考図、２図）を形成し、続いて他端を並設する巻側コアー（３）迄通して装着する（３図）ことで、当該コアーの低反発性により広く柔軟な払拭面を確保し、かつ払拭で汚れた後は、巻側コアー（３）の圧縮操作と共に、出側コアー（２）の低反発性の形状回復性、ないしは芯体（７図の２Ａ）を備えその一部にある液体注入孔（２Ｂ）や多孔質孔への主に水の注入操作で形状回復性を担保することで、両コアーの太さの均衡と広く柔軟な払拭面を確保し、かつ主に略正多角的コアーの角度に従う反転操作により新払拭面切替えと、ごみを巻込む払拭手段において（４図、５図）、これら巻側コアー（３）に至るまでの、出側コアー（２）と共に払拭シート（１）やコアーホールド手段を圧縮巻して、ないしは圧縮巻を見込み、フィットする長さで一体的形成体とすることを特徴とする片手でつかめる巻雑巾。
【請求項２】
結合法（参考図１０の１Ｎ）が脱着式結合手段の場合において、この巻雑巾に用いるそれぞれの要素である、「請求項１」記載の払拭シート部（１）とコアーホールド手段。
【請求項３】
「請求項１」記載における、低反発性を有し、かつコアーカバー（８図のＫ，１０図の１Ｓ、１３図の１Ｓ）か、４本以上の骨（８図）、芯体（２Ａ）、の何れかを備えた「請求項１〜請求項２」記載の当該巻雑巾と一体的に使用する出側コアー（ないしは巻側コアー）。
【発明の詳細な説明】
【技術分野】
【０００１】  本発明は、長い払拭シートを２つの低反発性コアーを圧縮巻し、双方の太さ均衡を図り片手で掴める手軽さと、新両面の切替、や事前のアルコール含侵ができる巻雑巾に関す。
【背景技術】
【０００２】  従来、トイレットペーパーなどの使い捨て２ロール式で両面を同時に払拭面に用いるものはあったが、接触面積や幅が狭く一般の払拭には使用できないものだった。【０００３】  また、同様な両面使用タイプで、柄構造の有る２軸の軸間が固定式では、送るたびに軸差替えの手間を要すことや固定軸が回転しないで布同士が緩みやすい構造のため、挟んだ塵の飛散、や左右の太さや重さの差が甚大となり操作の難しい構造をしていた。【０００４】  さらに、事前のアルコール含侵は、構造的に布同士の隙間から蒸発し不可能であった。【０００５】
【先行技術文献】
【特許文献】
【０００６】
【特許文献１】  特開平１０−０７５９２３
【特許文献２】  特開平１１−７６１２３
【特許文献３】  特開２００２−２８２１８４
【非特許文献】
【０００７】
【非特許文献１】  前田幸子著「最新ラクラクおそうじ図鑑」徳間書店発行１９９４、３月
【発明の概要】
【発明が解決しようとする課題】
【０００８】  また前述のように、従来の長い払拭シートを用いる２コアー式では、重く、軽快な作業性が必要な所に不向きであり、用途先が限られ、かつ片手で使用できなかった。
【課題を解決するための手段】
【０００９】  本発明は、コアーの圧縮巻と、軽量タイプの低反発発泡性ウレタンに水の利用を含めた形状回復性を担保することで、２コアーの太さ均衡で片手持ちを可能とすることを主要な特徴とする。
【発明の効果】
【００１０】  本発明は、片手で直接つかんで払拭できる、普通の雑巾に準じる軽快性がある。【００１１】  低反発性の形状回復性により雑巾面を広げて被払拭面との接触広さを得、また低反発性がソフトな接圧になり能率的な掃除ができる。【００１２】  反転時のごみ巻込みと再接触防止を確実にして、塵の飛散が少ない利点がある。【００１３】  アルコールなどを含浸するときは、圧縮巻きで払拭の直前まで空気に触れにくいので蒸発が少なく、はじめと終わりの作用効果の差を少なくできる利点がある。【００１４】  レストラン他、客前での噴霧作業の不要、や均一塗布を事前にできる利点もある。【００１５】  従来のように常時アルコールを手に持つ必要ない利点もある。【００１６】  毛足のある約２．２Ｍ〜３．５Ｍ長さでも無理なき太さにでき、掴め、交換する手間が省け、もちろん両面も無駄なく使用できる利点がある。【００１７】  安価な材料、単純構造で繰り返し使えて経済的である。
【図面の簡単な説明】
【００１８】
【図１】  巻雑巾の使用状態の説明図である。（実施例１）
【図２】  巻雑巾の説明図である。（実施例２）
【図３】  巻雑巾の初めの使用方法を示した説明図である。（実施例３）
【図４】  中間期の使用方法を示した説明図である（実施例４）
【図５】  巻雑巾の残部の説明図である。（実施例５）
【図６】  出側、巻側コアーの１例の説明図である（実施例６）
【図７】  出側、巻側コアーの芯体部の１例の説明図である。（実施例７）
【図８】  出側、巻側コアー正面の説明図である。（実施例８）
【図９】  巻雑巾の説明図である。（実施例９）
【図１０】  巻雑巾の説明図である。（実施例１０）
【図１１】  巻雑巾の払拭部の説明図である。（実施例１１）
【図１２】  巻雑巾の払拭部の説明図である。（実施例１２）
【図１３】  出側、巻側コアーの固定式コアーカバー例図。（実施例１５）
【発明を実施するための形態】
【００１９】  二つの軽量タイプな低反発性のあるコアーと、圧縮しても皺にならない、材質の種類によらず払拭に適す払拭シートを出側コアーに圧縮巻きし、次に巻側のコアーまで通して、下に柔軟で広い接触面積を確保し、次に固有の形状回復性か給水操作による回復機能を介し左右太さの均衡を図り、片手で直接つかむ簡便な操作性と、塵の飛散防止、アルコールなどの有効使用、汚れた面への再接触の少なさや、交換頻度の少ない巻雑巾で提供す。
【実施例１】
【００２０】  図１は、出側コアー（２）と、これに圧縮巻形成した巻雑巾と、巻側コアー（３）を含む巻雑巾の全体図で、コアーの低反発性の柔軟性と最小の張力操作により払拭底面の広がりや、指先を指窪（１Ｐ）に合わせて深く沈めることで、太くてもつかみやすい。又、親指と小指で掴み、人差し指、中指、薬指で上部に添えてもよい。（図省略）
【実施例２】
【００２１】  図２は、出側コアーに圧縮しフィット太さに巻いたこのコアーを含む巻雑巾の略図で、（但し、「請求項１」記載の圧縮巻見込む場合はこのコアー無い）始めは緩く、２割から３割巻いてから圧縮を開始して形成、尚フィット太さとは手の大きさによらず掴み安い太さの意、又下図は、コアーホールド手段の一例で、任意なコアー外周長にフィットするループの略図を示す、ループ周長はコアー外周長より短めがグリップ力確保に適す。
【実施例３】
【００２２】  図３は、フィット太さの外部一端から略Ｓ字パスラインを経て巻きコアー（３）に巻き始めた図で、張力は少ないほうが被払拭面との接触面積を広く確保できる。
【実施例４】
【００２３】  図４は、左右とも太さ、硬さが等しい中間段階図で、さらに芯体（２Ａ）に連結ひもで結べば２コアー密着性がよくなる。
【実施例５】
【００２４】  図５は、（２）の様に残シートが減少したときの太さの回復機能を示し、しかし圧縮のまま７日〜１ヶ月間放置後では復元時間が約数分こえて費やすことがあることは一般に知られている、又低反発発泡ウレタンのなかでもより軽量形が要求されるが、高密度タイプ（例、４０ｋｇ／ｍ３）の低反発ウレタンでは形状回復性は高いが密度に比例して重量が増す。しかし軽量低密度な発泡孔径大タイプの素材（３０〜３５ｋｇ／ｍ３）では後半時の形状回復力が劣る、そこで図７に示す芯体（２Ａ）に約２５ｃｃの水を注ぐことで中央小穴からの水の浸透により張力に抗する反復力が生じて約１０秒から３０秒で形状回復が可能となる、したがって左右の太さと硬さの均衡が向上し掴み易さが保持できる。
【実施例６】
【００２５】  図６は、歪み防止手段付コアー図の１例を示し、上記軽いタイプの低反発発泡性ウレタンがより優れ、この内部に外周付近に少なくとも４本以上の骨（３）（竹が高弾性係数、安価で適す）を備えて、掴むとき片側が親指一本であっても幅方向に押さえる力が伝わる作用がある。
【実施例７】
【００２６】  図７は、軽いコアーの使用を狙うコアー中心部の断面図で、（２Ａ）は芯体で、材質は軽量、かつ耐水性のある紙管や多孔質管が適す、また（２Ｂ）は主に水の侵入孔で、巻雑巾へのアルコールなどの補給孔にもコアーの外まで細孔を貫通させることで利用できる。また中心部には芯体（管）と中央に侵入孔を有し端から注いで浸透した水が発泡状組織に拡散し形状回復作用を起す、（その際片側は手指やゴム栓などでふさぐ、尚この（２Ｂ）孔は多孔質管の孔として解釈し、中央部を限定利用もできる、又狭い幅では無空な芯体もある。
【実施例８】
【００２７】  図８は、出側コアー（２）、巻側コアー（３）正面の略正多角形状の主例の簡略説明図である、角の張りと上記形状回復機能が雑巾を広げて、初期から広い接触面が得られる、ＪはコーナーをＲにし、Ｋは歪み防止手段付コアーで骨（４）をコアーカバー（参考図１３）に取付けた図である、又狭幅タイプでは、払拭シートの捩れが少ないので骨が不要にでき、丸コアーもある（図は省略）。
【実施例９】
【００２８】  図９は、コアーホールド手段の形態において、コアーカバー（１Ｓ）が筒状カバーの形をしており襞（１Ｔ）を備え、これと払拭シート部（１）、ないしは襞（１Ｍ）の両端を縫うか、圧着等の恒久的結合法（１Ｎ）を介し一体的に形成した巻雑巾、またはコアーカバー（１Ｓ）に接触し直接縫う手法もある、（尚当該（１Ｓ）の素材はよりソフトで高い伸縮性があるものが適す）、又この払拭シート部には襞（１Ｍ）無しタイプもある、端面には帯ゴムや紐（１Ｒ）を備えることでコアーの出し入れをおこなう、尚本図ではコアーは含めていないが巻雑巾と呼ぶ。
【実施例１０】
【００２９】  図１０は、コアーホールド手段の形態において、前記結合法（１Ｎ）が脱着式結合した巻雑巾の例図で、（１図）は個性的ホックや紐等の部品や孔の配置がコアーカバー（１Ｓ）と払拭シート部（１）が対応した特異的専用的配置になっている（表裏関係一定化、図１１のａ参）、（２図）はこのコアーカバーを接触により利用して払拭シート部（１）に繊維以外の異質素材を利用する例、ホック類（１Ｎ）、や接着テープを備えた１例である、尚襞（１Ｍ）に付けてもよい、本図もコアーを含まないで巻雑巾と呼ぶ。
【実施例１１】
【００３０】  図１１の（Ａ図）は、毛足がある払拭シート部の場合の一例で、中央付近の長さ方向に沿って切り欠き孔（ハッチング部）や、突起を減らして厚みを薄くした指窪（１Ｐ）（ハッチング無し部）で、既述のように任意の圧縮度合いと、略正多角形のピッチ及び指間、これらに合わせた回転ピッチに配置し（例えばＸ１とＸ２値は、８０ｍｍ角コアーの場合には８０ｍｍ前後の任意値）、指先が深く入ることで、太い巻雑巾でもつかみ易くしてある、（ボーリングの玉が好例）、拡大図の左下部は親指に対応する、（Ｂ図）は線幅約１５ｍｍ以上の線状指窪（１Ｑ）で線部は中指、親指に、（１Ｕ）は薬指に対応する。
【実施例１２】
【００３１】  図１２は、毛足がある払拭シート部について、線状指窪に加えて図柄、線、文字等（Ｃ）、や突起の無い狭い線（Ｄ）で前項同様のピッチ（Ｘ１，Ｘ２，ＸＮ）でパターンを設けることで、再現性ある圧縮操作を容易にする。
【実施例１３】
【００３２】  コアーホールド手段の形態において、コアーカバー（１Ｓ）の形状は、柔軟な伸縮繊維を主にコアーへの装着容易性と皺や美観の減少等の防止のために、角部に縫い目、折り目を付けることでコアー装着時における形状であり、適す。
【実施例１４】
【００３３】  コアーホールド手段の形態において、このコアーカバー（１Ｓ）は、耐久性には劣るが極薄素材（例、類似ストッキング、メッシュ他）を採用し袋形状）もある。
【実施例１５】
【００３４】  「請求項１」記載のコアー外周長にフィットするループ状（図２の下部）の簡易な実施例もある、（１例、四角８０ｍｍコアーでは周長９割で約２９０ｍｍに相当）。
【実施例１６】
【００３５】  図１３は、この場合に、コアーに同様な素材で固定式のコアーカバーを備えた図で、磨耗や美観にプラスとなり、２重になるが柔軟性に影響しない。
【実施例１７】
【００３６】  しかし、コアーホールド手段の形態で、襞（１Ｍ）は、２６ｃｍ〜３０ｃｍ長さにしてコアーに１巻する摩擦利用のみでコアーと一体化する使い方もあるが、巻前後に緩み、ずれ、や突起物巻き込み等のマイナスを伴う実施例もある。
【実施例１８】
【００３７】  また、本案払拭シートには、薄物では襞部を無くしてコアーに巻き込み、数メートル以上の実施例もある。
【実施例１９】
【００３８】  布製の払拭シートには、両面に毛足や、糸太さ、落ちわたの蚊帳縫、縫製によるウエーブ状の凹凸（例、ワッフル）、不織布、柔軟な紙等が想定できる。
【産業上の利用の可能性】
【００３９】  長テーブル、じゅうたん製の長いす、じゅうたん床、畳、壁に、（凹凸が少ない平らな広い面に適し、角や隙間にも適す汎用雑巾との併用がよい）、また広いガラス（窓、ドアー、陳列ガラス）、等の手垢や汚れを残さない透明性が必要な所や、袖、低置のソーラーパネル、テーブルのアルコール消毒。
【符号の説明】
【００４０】１    払拭シート部
２    出側コアー          ２Ａ  芯体      ２Ｂ  侵入孔
３    巻側コアー
４    骨
１Ｍ  襞（払拭部側）
１Ｎ  結合法
１Ｔ  襞（コアー側）
１Ｓ  コアーカバー
１Ｐ  指窪
１Ｑ  線状指窪
１Ｕ  薬指窪
１Ｒ  帯ゴム、紐
Ｈ，Ｊは、正面が略正多角形で、内部に骨を備えるコアーの図。
Ｋは、骨をコアーカバーに装備したコアーの図。
【図１】
2011098180.tif 000003
【図２】
2011098180.tif 000004
【図３】
2011098180.tif 000005
【図４】
2011098180.tif 000006
【図５】
2011098180.tif 000007
【図６】
2011098180.tif 000008
【図７】
2011098180.tif 000009
【図８】
2011098180.tif 000010
【図９】
2011098180.tif 000011
【図１０】
2011098180.tif 000012
【図１１】
2011098180.tif 000013
【図１２】
2011098180.tif 000014
【図１３】
2011098180.tif 000015